(57)【要約】【課題】骨折、病気、手術直後、介護度の高いお年寄りなど、ベットや布団から、思うように体を動かせない方のシャンプーを、枕の位置で、準備、後片付けに、時間をかけずに、体に負担のかからない姿勢でできる、シャンプーシートを提供する。【解決手段】簡単にシャンプーができるように、吸水性の高い、紙おむつ素材を使う。シャワーボトルにお湯を用意し、１枚のシートを、１．シャンプー  ２．すすぎ  ３．後頭部の水分を吸収する部分と移動して使う。後は、タオルで髪の水分をふき取り、ドライヤーで乾燥する。使用後のシートは、くるくる丸め、接着テープで止めて、捨てることができるシャンプーシートである。【選択図】図１
0003131303.tif 000002
【実用新案登録請求の範囲】
【請求項１】
紙おむつ素材を使用し、１・２・３で１，５００ｍｌくらいの水分を吸収できるように綿状パルプ・高分子吸水材を多く使用し、衣類、寝具への水漏れを防ぐ、シャンプーシート。
【請求項２】
扇形をしていることで、１．シャンプー  ２．すすぎ  ３．後頭部の水分を吸収する部分へと移動がしやすく、１・２・３で、濡れ防止立体ギャザーを首にそわせやすく、衣類、寝具を濡らすことを防ぐことができるシャンプーシート。
【請求項３】
３．の後頭部の水分を吸収する部分を設けたことで、タオルを頭の下に敷く手間がなく、後頭部の乾燥を早め、タオルおよび、ドライヤー乾燥が短時間で済む、シャンプーシート。
【考案の詳細な説明】
【技術分野】
【０００１】本考案は、ベットや布団から思うように体を動かせない方のシャンプーを、体を動かさず、枕の位置で、紙おむつ素材の吸収力を活かし、体への負担をかけずにするシャンプーに関する。
【背景技術】
【０００２】現在、病院では、洗髪車が使われていますが、狭い病室では使いづらく、頭の位置をベット横の洗髪車へ、動かさないといけない。ホームヘルパーの方は、ケリーパッドなどの方法でシャンプーをしていますが、準備や後片付けに、時間がかかり、また、水漏れが心配である。紙おむつでは、嫌がり、シャンプーを我慢する方もいる。
【考案の開示】
【考案が解決しようとする課題】
【０００３】骨折、病気、手術直後、介護度の高いお年寄りなど、ベットから、動けない状態の方のシャンプーを病院では、洗髪車をベットの横につけて、行います。しかし、病室の状態により、ベットや床頭台を移動して洗髪車をベットの横につけ、洗髪車に頭を移動しなければなりません。少しの移動でも体に痛みを感じる方もいます。ホームヘルパーの方は、訪問介護時、ケリーパッドなどの方法でシャンプーをしますが、準備や後片付けに、時間かかり、水漏れが心配です。体に負担のかからない姿勢で、水漏れのない、安心してできるシャンプー方法が求められている。
【課題を解決するための手段】
【０００４】手間がかからず、簡単にシャンプーができるように、吸水性の高い、紙おむつ素材を使う。シャワーボトルにお湯を用意し、シャンプーシート１に頭をのせ、濡れ防止立体ギャザーを首にそわせて、シャンプーをする。片手で頭を持ち上げ、２の部分を頭の下に移動する。２の部分の濡れ防止立体ギャザーを首にそわせ、すすぎをする。片手で頭を持ち上げ、３の部分を頭の下に移動し、後頭部の水分を吸収する。後は、タオルで水分をふき取り、ドライヤーで髪を乾かす。１枚のシートを移動してシャンプーを行い、後は、くるくる丸め、接着テープで止めて、捨てることができる。
【考案の効果】
【０００５】ベットや床頭台の移動がいらない為、大げさにならない。体の移動がない為、シャンプーをされる方も、する方も、体の負担が少ない。３の部分で後頭部の水分を吸収する為、ドライヤーでの乾燥が短時間で済む。準備・後片付けが簡単にできる。簡単な為、まめにシャンプーをすることができ、清潔を保持することができる。
【図面の簡単な説明】〔シャンプーシート〕
【図１】  シャンプーシート本体の平面図である。
【図２】  考案したシャンプーシートの断面図である。
【符号の説明】
〔シャンプーシート〕
１  シャンプーをする部分
２  すすぎをする部分
３  後頭部の水分を吸収する部分
【図１】
0003131303.tif 000003
【図２】
0003131303.tif 000004
【手続補正書】
【提出日】平成18年11月17日(2006.11.17)
【手続補正１】
【補正対象書類名】実用新案登録請求の範囲
【補正対象項目名】全文
【補正方法】変更
【補正の内容】
【実用新案登録請求の範囲】
【請求項１】
紙おむつ素材（高分子吸収材の周りに綿状パルプを多く配してなる心材と、その表面がわには吸収紙を介した表面材、同裏面がわには吸水剤層とが上下に積層構造とされたもの）を使用し、人の頭部を載せるに十分な巾で扇子地紙のような帯状彎曲平面形とされ、該平面形全体を彎曲方向に３区分に区画されてなるものに形成されると共に、平面形下方がわの弯曲線に沿わせて濡れ防止立体ギャザー部を立ち上げ、且つ帯状彎曲平面形の彎曲方向両端近傍には接着テープが取着、形成されてなるものとしたことを特徴とするシャンプーシート。
【請求項２】
紙おむつ素材（高分子吸収材の周りに綿状パルプを配してなる心材と、その表面がわには吸収紙を介した表面材、同裏面がわには吸水剤層とが上下に積層構造とされたもの）を使用し、人の頭部を載せるに十分な巾で扇子地紙のような帯状彎曲平面形とされ、該平面形全体を彎曲方向に３区分に区画されてなるものに形成されると共に、平面形下方がわの弯曲線に沿わせて濡れ防止立体ギャザー部を立ち上げ、且つ帯状彎曲平面形の彎曲方向両端近傍には接着テープが取着、形成されるようにし、１，５００ｍｌ程度の水分を吸収できるようにしてなるものとしたことを特徴とするシャンプーシート。
【請求項３】
紙おむつ素材（高分子吸収材の周りに綿状パルプを多く配してなる心材と、その表面がわには吸収紙を介した表面材、同裏面がわには吸水剤層とが上下に積層構造とされたもの）を使用し、人の頭部を載せるに十分な巾で扇子地紙のような帯状彎曲平面形とされ、該平面形全体を彎曲方向に３区分に区画されてなるものに形成されると共に、平面形下方がわの弯曲線に沿わせ、首より下方への水分流失を防止する濡れ防止立体ギャザー部を立ち上げ、且つ帯状彎曲平面形の彎曲方向両端近傍には接着テープが取着、形成されるようにした上、３区分した平面形部分の一方がわ１／３部分をシャンプー用部、その隣の１／３部分をすすぎ用部、残る１／３部分を後頭部の水分吸収用部に使い分けできるようにしてなるものとしたことを特徴とするシャンプーシート。                                      
【手続補正２】
【補正対象書類名】明細書
【補正対象項目名】全文
【補正方法】変更
【補正の内容】
【考案の詳細な説明】
【技術分野】
【０００１】
この考案は、ベットや布団から思うように体を動かせず、横たわったままの生活を余儀無くされている病人や身体障害者、老齢者といった人々の介護者による洗髪作業に際しても、それら思うように体を動かせない人が、寝たまま僅かに頭部を動かすだけで、殆ど枕の位置での洗髪を可能にするようにしたシャンプーシートに関するものである。
【０００２】
現在、多くの病院では洗髪車が使われているが、狭い病室では使い辛い上、頭の位置をベッド横の洗髪車へ動かさないと洗髪できず、対象者にとっては大きく体を動かさなければならいだけでなく、無理な姿勢を強いられることにもなっていたため、必ずしも望ましい手段とはいえず、また、ホームヘルパーが訪問看護などの場面で対象者の洗髪を実施する際には、ケリーパッドその他種々の市販の洗髪用補助具などを用い、仰向け姿勢で横たわる対象者の頭をそれら公知の用具類の上に載せる方法でシャンプーをするのが一般的となっているものの、これら従来の方法では準備や後片付けに時間が掛かるという難点が付きまとうと共に、作業中の水漏れが懸念されるという欠点もあった。この欠点を解消しようとして紙おむつを辺りに敷く手段を取り入れる作業者もあるが、この方法のように水周りの処理とはいえ、紙おむつそのものの使用を嫌がり、そのため、シャンプーを我慢する人さえも出る始末である。                                                                        
【考案の開示】
【考案が解決しようとする課題】
【０００３】
こうした骨折その他罹病中の人、手術直後の人、介護度の高いお年寄りなど、入院中であってベッドから動けない状態の人の洗髪を行う場合、洗髪車をベッドの横に着けて行うのが一般的である。しかし、病室の状態によっては、邪魔になるベッドや床頭台を移動して洗髪車を何とかベッドの横に着けるようにしなければならず、その後、今度は洗髪対象者である患者さんの方が何とかして洗髪車に頭を移動しなければならないこととなり、少しの移動でも体に痛みを感じる人にとってはかなり辛いため、このような体の移動の少ない、あるいは殆ど仰向け状態のままでも洗髪可能となるような手段の実現化が、それら対象者のために求められている。
【０００４】
そして、それら手段の開発は、訪問介護として訪れた家庭において、ケリーパッドなどを使って洗髪するホームヘルパーにとっても、シャンプーの準備や後片付けに要する時間の短縮化に繋がるだけではなく、作業そのものの簡素化や水処理のし易さにも繋がることとなり、ホームヘルパーの介護作業の効率化のためにも是非とも必要視されている上、何よりも洗髪対象者の体に負担を掛けないシャンプー方法として有用なものとして機能する筈であり、殆ど仰向け状態のままで可能となる洗髪手段の開発は急務といえる。                                
【課題を解決するための手段】
【０００５】
上記のとおりの要請に応え、この考案は、次のとおりの構成からなるシャンプーシートを開発、実現化したものである。
即ち、紙おむつ素材（高分子吸収材の周りに綿状パルプを多く配してなる心材と、その表面がわには吸収紙を介した表面材、同裏面がわには吸水剤層とが上下に積層構造とされたもの）を使用し、人の頭部を載せるに十分な巾で扇子地紙のような帯状彎曲平面形とされ、該平面形全体を彎曲方向に３区分に区画されてなるものに形成されると共に、平面形下方がわの弯曲線に沿わせて濡れ防止立体ギャザー部を立ち上げ、且つ帯状彎曲平面形の彎曲方向両端近傍には接着テープが取着、形成されてなるものとした構成を要旨とするシャンプーシートである。
【０００６】
上記構成のこの考案のシャンプーシートを、さらに具体的な表現で示すと、紙おむつ素材（高分子吸収材の周りに綿状パルプを配してなる心材と、その表面がわには吸収紙を介した表面材、同裏面がわには吸水剤層とが上下に積層構造とされたもの）を使用し、人の頭部を載せるに十分な巾で扇子地紙のような帯状彎曲平面形とされ、該平面形全体を彎曲方向に３区分に区画されてなるものに形成されると共に、平面形下方がわの弯曲線に沿わせて濡れ防止立体ギャザー部を立ち上げ、且つ帯状彎曲平面形の彎曲方向両端近傍には接着テープが取着、形成されるようにし、１，５００ｍｌ程度の水分を吸収できるようにしてなるものとしたシャンプーシートとなる。
【０００７】
同様に、紙おむつ素材（高分子吸収材の周りに綿状パルプを多く配してなる心材と、その表面がわには吸収紙を介した表面材、同裏面がわには吸水剤層とが上下に積層構造とされたもの）を使用し、人の頭部を載せるに十分な巾で扇子地紙のような帯状彎曲平面形とされ、該平面形全体を彎曲方向に３区分に区画されてなるものに形成されると共に、平面形下方がわの弯曲線に沿わせ、首より下方への水分流失を防止する濡れ防止立体ギャザー部を立ち上げ、且つ帯状彎曲平面形の彎曲方向両端近傍には接着テープが取着、形成されたものとした上、３区分した平面形部分の一方がわ１／３部分をシャンプー用部、その隣の１／３部分をすすぎ用部、残る１／３部分を後頭部の水分吸収用部に使い分けできるようにしてなるシャンプーシートということができる。                                  
【考案の効果】
【０００８】
ベッドや床頭台の移動が不要となるため、シャンプーがその都度大げさにならないで済むこととなり、しかも、洗髪対象者には、所期の目的どおり体の移動がないか殆どないため、シャンプー対象者は勿論のこと、シャンプー作業者にとっても、体に掛かる負担が少なくて済ますことができるという秀れた特徴を発揮することができる。
【０００９】
特に、平面形全体を彎曲方向に３区分に区画した最後の１／３の部分において、シャンプー最後の行程段階に後頭部の水分を吸収することになるため、ドライヤーでの乾燥を短時間で済ませることができるという大きな効果を奏するものとなる外、広げて使用する準備も特に面倒さはない上、その上に頭を載せてシャンプーし、水分を吸収して全体的に膨張した状態に化してはいるものの、広げた状態の端の部分から丸めるようにしてコンパクト化し、予め形成してある何れかの側の接着テープを使ってその状態が崩れないようにして廃棄すればよく、後片付けも非常に簡単に行うことができるという実用的な利便性を兼ね備えている。
【００１０】
このように取扱い操作か簡単な上に、洗髪対象者にも非常に優しい本件考案のシートとなるため、まめにシャンプーをすることができるようになり、罹病中の人や術後の人、介護度の高いお年寄りなどといった、入院中であってベッドから動けない状態の人々は、自らの清潔を保持し易くなって衛生的な生活を保証されることになるという卓越した効果を享受することができるものとなる。                                                            
【実施例】
【００１１】
手間が掛からず、簡単にシャンプーができるよう、吸水性の高い紙おむつ素材、つまり、公知の紙おむつに多用される高分子吸収材２１の周りに綿状パルプ２２を多く配してなるものとし、その表面がわには吸収紙２３を積層状として心材２とした上、さらにその上方がわに表面材３を重ねたものとする一方、当該心材２の裏面がわには、これまでの紙おむつに採用されてきた公知の吸水剤層４を組み合せ、それらが上下に積層構造となるようにし、図１の平面図に示すとおり、全体が扇子地紙部分のような帯状彎曲平面形となるように形成され、帯状彎曲平面形の内側、小さい彎曲縁がわに沿うよう濡れ防止立体ギャザー５を添設して全体が一体化されたものとしてある。
【００１２】
この濡れ防止立体ギャザー５は、図２の一部を省略して示す縦断面図のように、帯状彎曲平面形の内側、小さい彎曲縁に沿わせて一体化されると共に、その上端縁が表面材３よりも上に突き出すような構造とされていなければならず、当該上端がわで突出する部分は、首周りに当接してシャンプー時に流れてくる頭部がわからの水分を遮るようにするものであり、少なくとも上端寄り所定範囲部分に、図２に示すようなギャザー部分を形成してなるものとしなければならない。      
また、広げた状態の帯状彎曲平面形の表面材３の両端付近には、接着テープ６，６が取り付けられたものとしてある。
【００１３】
こうして形成されるこの考案のシャンプーシート１は、図１に示してあるように、帯状彎曲平面形の彎曲方向に３区分したものとしてあり、その平面形部分の左がわ１／３部分をシャンプー用部（イ）、その隣、即ち中央の１／３部分をすすぎ用部（ロ）、残る右がわ１／３部分を後頭部の水分吸収用部（ハ）に使い分けできるようにしてあり、シャンプー時には、図１中の矢印Ａから始め、洗髪対象者の頭部はそのままに、洗髪行程に従ってその都度対象者の頭部を支え、順次シャンプーシート１の方を矢印Ｂの方向に回して使用するようにするものである。                                                                  
【実施例の作用】
【００１４】
シャワーボトルにお湯を用意して洗髪対象者のそばに置いた上、仰向けに横たわる洗髪対象者の頭部を少し浮かせるよう支えながら、その下に、広げた状態で濡れ防止立体ギャザー５が対象者の首辺りに丁度当接状に納るよう注意しながらシャンプーシート１を潜り込ませ、シャンプーシート１のシャンプー用部（イ）に先ず頭を載せた状態でシャンプーをする。
【００１５】
こうして、シャンプー行程を手際良く終えたら、次に片手で対象者の頭を少しだけ浮かせた状態が実現されるよう持ち上げ、すすぎ用部（ロ）の部分を頭の下に移動する。このときも、濡れ防止立体ギャザー５が対象者の首辺りに当っているよう注意を怠らないで水漏れが起きないようにしてから、直前に使用したシャンプーを洗い流すよう、すすぎ行程を進めるようにする。
【００１６】
そして、最後の行程として、寝たままで仰向けになっている対象者の頭部を、再び片手で頭を持ち上げて水分吸収用部（ハ）の部分を頭の下に移動してシャンプーシート１の上に載置することにより、後頭部の水分がシャンプーシート１の水分吸収用部（ハ）によって大部分吸収されてしまうようにする。その後、もう一度対象者の頭部を軽く浮かせるよう支えながら、広げてあったシャンプーシート１をそのまま対象者の頭部に係わりのない位置に移動した上、幾分残った対象者頭部の水分をできるだけタオルで拭き取ってからドライヤーで髪を乾かしてしまうことにより、対象者に対するシャンプーが完了することになる。
【００１７】
このように、１枚のシートを行程毎に使用箇所を移動して順次シャンプー行程を行羽ようにし、最後の後片付け行程として、水分によって膨らんだ状態になっている使用済みで広げたままにしてあるこの考案の前記シャンプーシート１を、左右何れかの端からくるくる丸め、予め取り付けられている接着テープ６で止めてその状態が崩れてしまわないような状態にして捨てるようにするものである。                                                      
【図面の簡単な説明】
【００１８】
図面は、この考案を代表する一つの実施例を示したものである。
【図１】シャンプーシート１の一部を省略した平面図である。
【図２】同上シャンプーシート１の縦断面図である。
【符号の説明】
【００１９】
１        シャンプーシート
２        心材
２１      同  高分子吸収材
２２      同  綿状パルプ
２３      同  吸収紙
３        表面材
４        吸水剤層
５        濡れ防止立体ギャザー
６        接着テープ
（イ）      シャンプー用部
（ロ）      すすぎ用部
（ハ）      水分吸収用部
Ａ，Ｂ    操作方向を示す矢印                                                              
【手続補正３】
【補正対象書類名】図面
【補正対象項目名】全図
【補正方法】変更
【補正の内容】
【図１】
0003131303.tif 000005
【図２】
0003131303.tif 000006
【手続補正書】
【提出日】平成19年2月19日(2007.2.19)
【手続補正１】
【補正対象書類名】実用新案登録請求の範囲
【補正対象項目名】全文
【補正方法】変更
【補正の内容】
【実用新案登録請求の範囲】
【請求項１】
高分子吸収材の周りに綿状パルプを多く配してなる心材と、その表面がわには吸収紙を介した表面材、同裏面がわには吸水剤層とが上下に積層構造とされてなる紙おむつ素材を使用し、人の頭部を載せるに十分な巾で扇子地紙のような帯状彎曲平面形とされ、該平面形全体を彎曲方向に３区分に区画されてなるものに形成されると共に、平面形下方がわの弯曲線に沿わせて濡れ防止立体ギャザー部を立ち上げ、且つ帯状彎曲平面形の彎曲方向両端近傍には接着テープが取着、形成されてなるものとしたことを特徴とするシャンプーシート。
【請求項２】
高分子吸収材の周りに綿状パルプを多く配してなる心材と、その表面がわには吸収紙を介した表面材、同裏面がわには吸水剤層とが上下に積層構造とされてなる紙おむつ素材を使用し、人の頭部を載せるに十分な巾で扇子地紙のような帯状彎曲平面形とされ、該平面形全体を彎曲方向に３区分に区画されてなるものに形成されると共に、平面形下方がわの弯曲線に沿わせて濡れ防止立体ギャザー部を立ち上げ、且つ帯状彎曲平面形の彎曲方向両端近傍には接着テープが取着、形成されるようにし、１，５００ｍｌ程度の水分を吸収できるようにしてなるものとしたことを特徴とするシャンプーシート。
【請求項３】
高分子吸収材の周りに綿状パルプを多く配してなる心材と、その表面がわには吸収紙を介した表面材、同裏面がわには吸水剤層とが上下に積層構造とされてなる紙おむつ素材を使用し、人の頭部を載せるに十分な巾で扇子地紙のような帯状彎曲平面形とされ、該平面形全体を彎曲方向に３区分に区画されてなるものに形成されると共に、平面形下方がわの弯曲線に沿わせ、首より下方への水分流失を防止する濡れ防止立体ギャザー部を立ち上げ、且つ帯状彎曲平面形の彎曲方向両端近傍には接着テープが取着、形成されるようにした上、３区分した平面形部分の一方がわ１／３部分をシャンプー用部、その隣の１／３部分をすすぎ用部、残る１／３部分を後頭部の水分吸収用部に使い分けできるようにしてなるものとしたことを特徴とするシャンプーシート。                                                        
【手続補正２】
【補正対象書類名】明細書
【補正対象項目名】全文
【補正方法】変更
【補正の内容】
【考案の詳細な説明】
【技術分野】
【０００１】
この考案は、ベットや布団から思うように体を動かせず、横たわったままの生活を余儀無くされている病人や身体障害者、老齢者といった人々の介護者による洗髪作業に際しても、それら思うように体を動かせない人が、寝たまま僅かに頭部を動かすだけで、殆ど枕の位置での洗髪を可能にするようにしたシャンプーシートに関するものである。
【０００２】
現在、多くの病院では洗髪車が使われているが、狭い病室では使い辛い上、頭の位置をベッド横の洗髪車へ動かさないと洗髪できず、対象者にとっては大きく体を動かさなければならいだけでなく、無理な姿勢を強いられることにもなっていたため、必ずしも望ましい手段とはいえず、また、ホームヘルパーが訪問看護などの場面で対象者の洗髪を実施する際には、ケリーパッドその他種々の市販の洗髪用補助具などを用い、仰向け姿勢で横たわる対象者の頭をそれら公知の用具類の上に載せる方法でシャンプーをするのが一般的となっているものの、これら従来の方法では準備や後片付けに時間が掛かるという難点が付きまとうと共に、作業中の水漏れが懸念されるという欠点もあった。この欠点を解消しようとして紙おむつを辺りに敷く手段を取り入れる作業者もあるが、この方法のように水周りの処理とはいえ、紙おむつそのものの使用を嫌がり、そのため、シャンプーを我慢する人さえも出る始末である。                                                                        
【考案の開示】
【考案が解決しようとする課題】
【０００３】
こうした骨折その他罹病中の人、手術直後の人、介護度の高いお年寄りなど、入院中であってベッドから動けない状態の人の洗髪を行う場合、洗髪車をベッドの横に着けて行うのが一般的である。しかし、病室の状態によっては、邪魔になるベッドや床頭台を移動して洗髪車を何とかベッドの横に着けるようにしなければならず、その後、今度は洗髪対象者である患者さんの方が何とかして洗髪車に頭を移動しなければならないこととなり、少しの移動でも体に痛みを感じる人にとってはかなり辛いため、このような体の移動の少ない、あるいは殆ど仰向け状態のままでも洗髪可能となるような手段の実現化が、それら対象者のために求められている。
【０００４】
そして、それら手段の開発は、訪問介護として訪れた家庭において、ケリーパッドなどを使って洗髪するホームヘルパーにとっても、シャンプーの準備や後片付けに要する時間の短縮化に繋がるだけではなく、作業そのものの簡素化や水処理のし易さにも繋がることとなり、ホームヘルパーの介護作業の効率化のためにも是非とも必要視されている上、何よりも洗髪対象者の体に負担を掛けないシャンプー方法として有用なものとして機能する筈であり、殆ど仰向け状態のままで可能となる洗髪手段の開発は急務といえる。                                
【課題を解決するための手段】
【０００５】
上記のとおりの要請に応え、この考案は、次のとおりの構成からなるシャンプーシートを開発、実現化したものである。
即ち、高分子吸収材の周りに綿状パルプを多く配してなる心材と、その表面がわには吸収紙を介した表面材、同裏面がわには吸水剤層とが上下に積層構造とされてなる紙おむつ素材を使用し、人の頭部を載せるに十分な巾で扇子地紙のような帯状彎曲平面形とされ、該平面形全体を彎曲方向に３区分に区画されてなるものに形成されると共に、平面形下方がわの弯曲線に沿わせて濡れ防止立体ギャザー部を立ち上げ、且つ帯状彎曲平面形の彎曲方向両端近傍には接着テープが取着、形成されてなるものとした構成を要旨とするシャンプーシートである。
【０００６】
上記構成のこの考案のシャンプーシートを、さらに具体的な表現で示すと、高分子吸収材の周りに綿状パルプを多く配してなる心材と、その表面がわには吸収紙を介した表面材、同裏面がわには吸水剤層とが上下に積層構造とされてなる紙おむつ素材を使用し、人の頭部を載せるに十分な巾で扇子地紙のような帯状彎曲平面形とされ、該平面形全体を彎曲方向に３区分に区画されてなるものに形成されると共に、平面形下方がわの弯曲線に沿わせて濡れ防止立体ギャザー部を立ち上げ、且つ帯状彎曲平面形の彎曲方向両端近傍には接着テープが取着、形成されるようにし、１，５００ｍｌ程度の水分を吸収できるようにしてなるものとしたシャンプーシートとなる。
【０００７】
同様に、高分子吸収材の周りに綿状パルプを多く配してなる心材と、その表面がわには吸収紙を介した表面材、同裏面がわには吸水剤層とが上下に積層構造とされてなる紙おむつ素材を使用し、人の頭部を載せるに十分な巾で扇子地紙のような帯状彎曲平面形とされ、該平面形全体を彎曲方向に３区分に区画されてなるものに形成されると共に、平面形下方がわの弯曲線に沿わせ、首より下方への水分流失を防止する濡れ防止立体ギャザー部を立ち上げ、且つ帯状彎曲平面形の彎曲方向両端近傍には接着テープが取着、形成されたものとした上、３区分した平面形部分の一方がわ１／３部分をシャンプー用部、その隣の１／３部分をすすぎ用部、残る１／３部分を後頭部の水分吸収用部に使い分けできるようにしてなるシャンプーシートということができる。                                                    
【考案の効果】
【０００８】
ベッドや床頭台の移動が不要となるため、シャンプーがその都度大げさにならないで済むこととなり、しかも、洗髪対象者には、所期の目的どおり体の移動がないか殆どないため、シャンプー対象者は勿論のこと、シャンプー作業者にとっても、体に掛かる負担が少なくて済ますことができるという秀れた特徴を発揮することができる。
【０００９】
特に、平面形全体を彎曲方向に３区分に区画した最後の１／３の部分において、シャンプー最後の行程段階に後頭部の水分を吸収することになるため、ドライヤーでの乾燥を短時間で済ませることができるという大きな効果を奏するものとなる外、広げて使用する準備も特に面倒さはない上、その上に頭を載せてシャンプーし、水分を吸収して全体的に膨張した状態に化してはいるものの、広げた状態の端の部分から丸めるようにしてコンパクト化し、予め形成してある何れかの側の接着テープを使ってその状態が崩れないようにして廃棄すればよく、後片付けも非常に簡単に行うことができるという実用的な利便性を兼ね備えている。
【００１０】
このように取扱い操作か簡単な上に、洗髪対象者にも非常に優しい本件考案のシートとなるため、まめにシャンプーをすることができるようになり、罹病中の人や術後の人、介護度の高いお年寄りなどといった、入院中であってベッドから動けない状態の人々は、自らの清潔を保持し易くなって衛生的な生活を保証されることになるという卓越した効果を享受することができるものとなる。                                                            
【実施例】
【００１１】
手間が掛からず、簡単にシャンプーができるよう、吸水性の高い紙おむつ素材、つまり、公知の紙おむつに多用される高分子吸収材２１の周りに綿状パルプ２２を多く配してなるものとし、その表面がわには吸収紙２３を積層状として心材２とした上、さらにその上方がわに表面材３を重ねたものとする一方、当該心材２の裏面がわには、これまでの紙おむつに採用されてきた公知の吸水剤層４を組み合せ、それらが上下に積層構造となるようにし、図１の平面図に示すとおり、全体が扇子地紙部分のような帯状彎曲平面形となるように形成され、帯状彎曲平面形の内側、小さい彎曲縁がわに沿うよう濡れ防止立体ギャザー５を添設して全体が一体化されたものとしてある。
【００１２】
この濡れ防止立体ギャザー５は、図２の一部を省略して示す縦断面図のように、帯状彎曲平面形の内側、小さい彎曲縁に沿わせて一体化されると共に、その上端縁が表面材３よりも上に突き出すような構造とされていなければならず、当該上端がわで突出する部分は、首周りに当接してシャンプー時に流れてくる頭部がわからの水分を遮るようにするものであり、少なくとも上端寄り所定範囲部分に、図２に示すようなギャザー部分を形成してなるものとしなければならない。      
また、広げた状態の帯状彎曲平面形の表面材３の両端付近には、接着テープ６，６が取り付けられたものとしてある。
【００１３】
こうして形成されるこの考案のシャンプーシート１は、図１に示してあるように、帯状彎曲平面形の彎曲方向に３区分したものとしてあり、その平面形部分の左がわ１／３部分をシャンプー用部（イ）、その隣、即ち中央の１／３部分をすすぎ用部（ロ）、残る右がわ１／３部分を後頭部の水分吸収用部（ハ）に使い分けできるようにしてあり、シャンプー時には、図１中の矢印Ａから始め、洗髪対象者の頭部はそのままに、洗髪行程に従ってその都度対象者の頭部を支え、順次シャンプーシート１の方を矢印Ｂの方向に回して使用するようにするものである。                                                                  
【実施例の作用】
【００１４】
シャワーボトルにお湯を用意して洗髪対象者のそばに置いた上、仰向けに横たわる洗髪対象者の頭部を少し浮かせるよう支えながら、その下に、広げた状態で濡れ防止立体ギャザー５が対象者の首辺りに丁度当接状に納るよう注意しながらシャンプーシート１を潜り込ませ、シャンプーシート１のシャンプー用部（イ）に先ず頭を載せた状態でシャンプーをする。
【００１５】
こうして、シャンプー行程を手際良く終えたら、次に片手で対象者の頭を少しだけ浮かせた状態が実現されるよう持ち上げ、すすぎ用部（ロ）の部分を頭の下に移動する。このときも、濡れ防止立体ギャザー５が対象者の首辺りに当っているよう注意を怠らないで水漏れが起きないようにしてから、直前に使用したシャンプーを洗い流すよう、すすぎ行程を進めるようにする。
【００１６】
そして、最後の行程として、寝たままで仰向けになっている対象者の頭部を、再び片手で頭を持ち上げて水分吸収用部（ハ）の部分を頭の下に移動してシャンプーシート１の上に載置することにより、後頭部の水分がシャンプーシート１の水分吸収用部（ハ）によって大部分吸収されてしまうようにする。その後、もう一度対象者の頭部を軽く浮かせるよう支えながら、広げてあったシャンプーシート１をそのまま対象者の頭部に係わりのない位置に移動した上、幾分残った対象者頭部の水分をできるだけタオルで拭き取ってからドライヤーで髪を乾かしてしまうことにより、対象者に対するシャンプーが完了することになる。
【００１７】
このように、１枚のシートを行程毎に使用箇所を移動して順次シャンプー行程を行羽ようにし、最後の後片付け行程として、水分によって膨らんだ状態になっている使用済みで広げたままにしてあるこの考案の前記シャンプーシート１を、左右何れかの端からくるくる丸め、予め取り付けられている接着テープ６で止めてその状態が崩れてしまわないような状態にして捨てるようにするものである。                                                      
【図面の簡単な説明】
【００１８】
図面は、この考案を代表する一つの実施例を示したものである。
【図１】シャンプーシート１の一部を省略した平面図である。
【図２】同上シャンプーシート１の縦断面図である。
【符号の説明】
【００１９】
１        シャンプーシート
２        心材
２１      同  高分子吸収材
２２      同  綿状パルプ
２３      同  吸収紙
３        表面材
４        吸水剤層
５        濡れ防止立体ギャザー
６        接着テープ
（イ）      シャンプー用部
（ロ）      すすぎ用部
（ハ）      水分吸収用部
Ａ，Ｂ    操作方向を示す矢印